(57)【要約】      （修正有）【課題】便座をを持ち上げたり、下げたりする時、便座そのものに直接手を触れる事なくする為の衛生的な取手。【解決手段】厚さ１〜２ｍｍ、幅２〜３ｍｍ、長さ１１〜１２ｃｍ程の一枚のプラスチック又は、それに順じた材質に約三分の一位の位置（Ａ）に両面テープ又は接着剤等を付着させ、残りの部分（Ｂ）を下方に屈折させ（Ｃ）更にその中位の位置（Ｄ）を外側に屈折させた取手とする。【選択図】図１
0003122173.tif 000002
【実用新案登録請求の範囲】
【請求項１】
既存の便座の横又は前部に便座を上下出来る取付取手。
【請求項２】
新規に便座を制作する際、便座の横、および前部に便座を上下出来る取っ手状の突出部をだす。
【考案の詳細な説明】
【考案が解決しようとする課題】
【０００１】（請求項１）の課題は、すでに一般にしようされている洋式便座は、便座を上下（小用時、大用事）させる時、便座そのものを手で直接持たねばならず  衛生的に不潔感が、否めない。
そこで、便座の横、および前部に取手を取り付ける事により、衛生的な問題が解決できる。
（図１）    （図２）
【０００２】（請求項２）では、最初から便座を製作するとき、便座そのものに取手（突出物）を付けることにより衛生的な問題が解決できる。
（図３）
【図面の簡単な説明】
【０００３】（図１）これは（請求項１）の説明で、便座を（大用事）上面から見た図で、
▲１▼と▲２▼は、１枚の硬目の薄いプラスチック又は、それに順じたものからなり
▲１▼の部分に両面テープ又は接着剤で、付着させる。
（図２）が、それを、取り付けたときの裏面の図である。
（図３）は、（請求項２）の時の便座を、上面から見た図である。
【図１】
0003122173.tif 000003
【図２】
0003122173.tif 000004
【図３】
0003122173.tif 000005
【手続補正書】
【提出日】平成17年4月19日(2005.4.19)
【手続補正１】
【補正対象書類名】実用新案登録請求の範囲
【補正対象項目名】請求項１
【補正方法】変更
【補正の内容】
【請求項１】
既存の洋式便座の上部、横下部（裏面）のいづれかに便座を持ち上げる取付取手。
【手続補正３】
【補正対象書類名】明細書
【補正対象項目名】０００１
【補正方法】変更
【補正の内容】
【０００１】（請求項１）の課題では、すでに一般に普及されている洋式便座は、便座を、上下（男性小用時、大用時）させる時、便座そのものを手で直接持たねばならず、衛生的に不潔感が否めない。
そこで、便座の上部横・裏面に、取手を取り付ける事により、衛生的な問題が解決できる。
（図２）（図３）
【手続補正４】
【補正対象書類名】明細書
【補正対象項目名】０００３
【補正方法】変更
【補正の内容】
【０００３】
【図１】は、便座取付取手の図で厚さ、１〜２ｍｍ、幅３〜４ｃｍ、長さ、１４〜１５ｃｍの一枚のプラスティックに便座に取り付ける部分のみ、両面テープが付着されているもの。プラスティックは下方にわん曲している。（側面図）
【図２】取手と便座上部に取り付けた時の上面図
【図３】は、取手を便座裏面に取り付けた時の図。取手の両面テープは、〔図２〕の時の反対に付着させる。
【図４】は、新規に便座を製作した時の平面図
【手続補正５】
【補正対象書類名】図面
【補正対象項目名】全図
【補正方法】変更
【補正の内容】
【図１】
0003122173.tif 000006
【図２】
0003122173.tif 000007
【図３】
0003122173.tif 000008
【図４】
0003122173.tif 000009
【手続補正書】
【提出日】平成17年6月22日(2005.6.22)
【手続補正１】
【補正対象書類名】実用新案登録請求の範囲
【補正対象項目名】全文
【補正方法】変更
【補正の内容】
【実用新案登録請求の範囲】
【請求項１】
既存の便座の横、前、又は裏面に取り付け便座を手で上下させるための衛生便座用取手。
【請求項２】
新規に便座を製造する際、便座の横、又は前部に取手を突出させて、その取手を手で持って便座を上下させる取手付の衛生便座。
【手続補正３】
【補正対象書類名】明細書
【補正対象項目名】０００１
【補正方法】変更
【補正の内容】
【０００１】一般的に普及されている洋式便座は便座を上下させる時、便座を直接手で持たなくてはならないので、不潔感を感じる。そこで便座の横、又は前部に手で持ち上げ出来る取り付け衛生便座取手を考案しました。（図１）
【手続補正４】
【補正対象書類名】明細書
【補正対象項目名】０００３
【補正方法】変更
【補正の内容】
【０００３】
【図１】は、便座取付取手の図で、厚さ１〜２ｍｍ、幅２〜３ｍｍ、長さ１１〜１２ｃｍ程の一枚のプラスチック（又は、それに順じた材質）に約三分の一位の位置（図１−（Ａ））に両面テープ（又は接着剤等）を付着させ、残りの部分（図１−（Ｂ））を下方に屈折させ（図１−（Ｃ））更にその中位の位置（図１−（Ｄ））を外側に屈折させたもの。
【図２】は、便座取付取手を、便座の上面（表面）に取り付けた時の平面図である。
【図３】は便座取付取手を便座の裏面に取り付けた時の平面図である。これは便座の裏面が、平らな場合に取り付け取手は、便座の裏面に取り付ける。
【図４】は（請求項２）の時の便座の平面図である。取手（Ａ），（Ｂ），（Ｃ），は、いづれか一ヶ所、便座に突出していても良い。
【手続補正５】
【補正対象書類名】図面
【補正対象項目名】全面
【補正方法】変更
【補正の内容】
【書類名】図面
【図１】
0003122173.tif 000010
【図２】
0003122173.tif 000011
【図３】
0003122173.tif 000012
【図４】
0003122173.tif 000013
【手続補正書】
【提出日】平成17年9月3日(2005.9.3)
【手続補正２】
【補正対象書類名】実用新案登録請求の範囲
【補正対象項目名】全文
【補正方法】変更
【補正の内容】
【実用新案登録請求の範囲】
【請求項１】
既存の便座の横、前、又は裏面に取り付け便座を手で上下させるための衛生便座用取手。
【請求項２】
新規に便座を製造する際、便座の横、又は前部に取手を突出させて、その取手を手で持って便座を上下させる取手付の衛生便座。
【手続補正４】
【補正対象書類名】明細書
【補正対象項目名】０００１
【補正方法】変更
【補正の内容】
【０００１】一般的に普及されている洋式便座は便座を上下させる時、便座を直接手で持たなくてはならないので、不潔感を感じる。そこで便座の横、又は前部に手で持ち上げ出来る取り付け衛生便座取手を考案しました。（図１）
【手続補正５】
【補正対象書類名】明細書
【補正対象項目名】０００２
【補正方法】変更
【補正の内容】
【図面の簡単な説明】【０００２】
【図１】は、便座取付取手の図で、厚さ１〜２ｍｍ、幅２〜３ｍｍ、長さ１１〜１２ｃｍ程の一枚のプラスチック（又は、それに順じた材質）に約三分の一位の位置（図１−（Ａ））に両面テープ（又は接着剤等）を付着させ、残りの部分（図１−（Ｂ））を下方に屈折させ（図１−（Ｃ））更にその中位の位置（図１−（Ｄ））を外側に屈折させたもの。
【図２】は、便座取付取手を、便座の上面（表面）に取り付けた時の平面図である。
【図３】は便座取付取手を便座の裏面に取り付けた時の平面図である。これは便座の裏面が、平らな場合に取り付け取手は、便座の裏面に取り付ける。
【図４】は（請求項２）の時の便座の平面図である。取手（Ａ），（Ｂ），（Ｃ），は、いづれか一ヶ所、便座に突出していても良い。
【手続補正６】
【補正対象書類名】図面
【補正対象項目名】全面
【補正方法】変更
【補正の内容】
【書類名】図面
【図１】
0003122173.tif 000014
【図２】
0003122173.tif 000015
【図３】
0003122173.tif 000016
【図４】
0003122173.tif 000017